(57)【特許請求の範囲】
【請求項１】
それぞれ機器固有の機器番号を表す識別データを発生するコード発生手段を備え、送出する映像信号のブランキング期間に上記コード発生手段により発生される識別データを介挿して上記映像信号を送出する複数の映像機器から供給される複数の映像信号を各信号処理系統に入力する映像信号処理装置であって、
上記複数の映像機器から供給される各映像信号のブランキング期間に介挿されている識別データを検出するコード検出手段と、
上記コード検出手段による検出出力に基づいて、上記複数の映像機器と上記複数の信号処理系統が対応するように、上記複数の映像機器から供給された複数の映像信号を切り換えて出力する信号選択手段と
を備えることを特徴とする映像信号処理装置。
【発明の詳細な説明】
【０００１】
【産業上の利用分野】
本発明は、映像信号処理装置に関し、例えばスタジオシステムを形成する映像機器に適用して、映像機器より出力する映像信号に識別データを付加すると共に、この識別データに基づいて機器番号を把握することにより、接続された機器間の確認作業を簡略化する。
【０００２】
【従来の技術】
従来、テレビジョンカメラにおいては、カメラコントロールユニットとカメラヘッドユニットとをケーブルで接続して使用するように形成され、カメラヘッドユニットで撮像した映像信号をカメラコントロールユニットを介してスイッチャー等に送出し、またスイッチャー等から出力されるリターン画像をカメラコントロールユニットを介してカメラヘッドユニットに送出し、これによりカメラマンにおいて必要に応じてオンエア画像を確認しながら所望の被写体を撮影できるようになされている。
【０００３】
さらに従来のテレビジョンカメラにおいては、このように映像信号の伝送に加えて、通話用の音声信号（すなわちインカム用の音声信号でなる）を送受できるように形成され、これによりカメラマンにおいて、スイッチャーを操作するオペレータとの間でコミュニケーションを図りながら所望の被写体を撮影できるようになされている。
【０００４】
【発明が解決しようとする課題】
ところで実際にスイチャー等を操作する場合にあっては、テレビジョンカメラの機器番号を確認して対応する入力チャンネルを操作することにより、スイチャー等の入力チャンネルと各テレビジョンカメラの機器番号との対応関係を完全に把握しておく必要がある。
【０００５】
ところが実際上、この種のテレビジョンカメラを使用するスタジオ設備においては、複数台のテレビジョンカメラを使用することにより、複数本のケーブルが錯綜し、何れのテレビジョンカメラが何れのチャンネルに入力されているかを簡易に把握できない場合が多い。
【０００６】
このため従来の放送施設においては、インカム用の回線を通じてカメラマンとスイッチャーのオペレータ等とが通話しながら、ケーブルを抜いたり、あるいはテレビジョンカメラ側で電源を切断したりして入力チャンネルとテレビジョンカメラの機器番号とを確認する必要があり、結局煩雑な確認作業を実行しなければならない問題があった。
【０００７】
本発明は以上の点を考慮してなされたもので、接続された映像機器間の煩雑な確認作業を簡略化することができる映像信号処理装置を提案しようとするものである。
【０００８】
【課題を解決するための手段】
かかる課題を解決するため、本発明は、それぞれ機器固有の機器番号を表す識別データを発生するコード発生手段を備え、送出する映像信号のブランキング期間に上記コード発生手段により発生される識別データを介挿して上記映像信号を送出する複数の映像機器から供給される複数の映像信号を各信号処理系統に入力する映像信号処理装置であって、上記複数の映像機器から供給される各映像信号のブランキング期間に介挿されている識別データを検出するコード検出手段と、上記コード検出手段による検出出力に基づいて、上記複数の映像機器と上記複数の信号処理系統が対応するように、上記複数の映像機器から供給された複数の映像信号を切り換えて出力する信号選択手段とを備えることを特徴とする。
【０００９】
【作用】
本発明に係る映像信号処理装置では、複数の映像機器から供給される各映像信号のブランキング期間に介挿されている識別データを検出するコード検出手段による検出出力に基づいて、信号選択手段により、上記複数の映像機器と上記複数の信号処理系統が対応するように、上記複数の映像機器から供給された複数の映像信号を切り換えて出力する。
【００１２】
【実施例】
以下、適宜図面を参照しながら本発明の実施例を詳述する。
【００１３】
図２は、本発明の一実施例に係るスタジオシステムを示すブロック図である。このスタジオシステム１は、それぞれカメラヘッドユニット（ＣＨＵ）２Ａ〜２Ｆ及びカメラコントロールユニット（ＣＣＵ）３Ａ〜３Ｆで形成されるテレビジョンカメラにより所望の被写体を撮像し、その撮像結果でなるディジタルビデオ信号ＤＶＡ〜ＤＶＦを規定のシリアル伝送フォーマットにより調整室４に入力する。
【００１４】
すなわち各カメラヘッドユニット２Ａ〜２Ｆは、それぞれカメラコントロールユニット３Ａ〜３Ｆにより制御されて規定の条件により所望の被写体を撮像し、ディジタルビデオ信号ＤＶＡ〜ＤＶＦを各カメラコントロールユニット３Ａ〜３Ｆを介して調整室４に出力し、また各カメラコントロールユニット３Ａ〜３Ｆを介してリターン画像のディジタルビデオ信号を入力する。かくするにつきカメラコントロールユニット３Ａ〜３Ｆは、調整室４より伝送される各コントロールデータＤＣＡ〜ＤＣＦに応じてこのようなカメラヘッドユニット２Ａ〜２Ｆの制御を実行する。
【００１５】
この調整室４は、スイッチボックス（ＳＷＢＯＸ）５にディジタルビデオ信号ＤＶＡ〜ＤＶＦを受け、このスイッチボックス５より順次機器番号順に配列されてなる波形モニタ６Ａ〜６Ｆにディジタルビデオ信号ＤＶＡ〜ＤＶＦを出力し、これにより各波形モニタ６Ａ〜６Ｆを介してカメラヘッドユニット２Ａ〜２Ｆの撮像結果をモニタできるようになされている。
【００１６】
またこの調整室４は、各波形モニタ６Ａ〜６Ｆに対応して機器番号順に配列されてなる映像モニタ７Ａ〜７Ｆに、スイッチボックス５よりディジタルビデオ信号ＤＶＡ〜ＤＶＦを入力し、各映像モニタ７Ａ〜７Ｆにより各テレビジョンカメラの動作状況をそれぞれ確認できるようになされている。さらにこの調整室４は、規定の操作子の操作に応動してディジタルビデオ信号ＤＶＡ〜ＤＶＦを選択的に波形モニタ８及び映像モニタ９に出力し、これによりそれぞれ波形モニタ８及び映像モニタ９でマスタ画像を確認できるようになされている。
【００１７】
リモートコントロールパネル（ＲＣＰ）１０Ａ〜１０Ｆは、カメラコマンドネットワークユニット（ＣＮＵ）１１の操作子を配置した操作板でなり、同様に各波形モニタ６Ａ〜６Ｆに対応して機器番号順に配列されるようになされている。カメラコマンドネットワークユニット１１は、各リモートコントロールパネル１０Ａ〜１０Ｆの操作に応動してカメラコントロールユニット３Ａ〜３Ｆとの間でコントロールデータＤＣＡ〜ＤＣＦを送受する。これによりスタジオシステム１では、このリモートコントロールパネル１０Ａ〜１０Ｆに配置された操作子を操作して各テレビジョンカメラの動作を制御するようになされている。
【００１８】
このようにしてディジタルビデオ信号ＤＶＡ〜ＤＶＦ、コントロールデータＤＣＡ〜ＤＣＦを入出力するスイッチボックス５及びカメラコマンドネットワークユニット１１は、図２に示すように各カメラコントロールユニット３Ａ〜３Ｆに接続される。
【００１９】
すなわち各カメラコントロールユニット３Ａ〜３Ｆは、カメラコントロールユニット本体１２Ａ〜１２Ｆより撮像結果をディジタルビデオ信号ＤＶＡ〜ＤＶＦの形式で出力し、またこのカメラコントロールユニット本体１２Ａ〜１２ＦにコントロールデータＤＣＡ〜ＤＣＦを入力してカメラヘッドユニット２Ａ〜２Ｆを制御する。
【００２０】
コード発生回路１３Ａ〜１３Ｆは、各カメラコントロールユニット３Ａ〜３Ｆの操作パネルに配置されたディジタルスイッチの設定に応じて、各テレビジョンカメラの機器番号を表す各テレビジョンカメラ固有の機器コードＳＤＡ〜ＳＤＦを発生する。選択回路１４Ａ〜１４Ｆは、ディジタルビデオ信号ＤＶＡ〜ＤＶＦのブランキング期間の所定タイミングで接点を切り換えることにより、機器コードＳＤＡ〜ＳＤＦをディジタルビデオ信号ＤＶＡ〜ＤＶＦのブランキング期間に介挿して出力する。
【００２１】
これによりこのスタジオシステム１においては、各テレビジョンカメラより送出されるディジタルビデオ信号ＤＶＡ〜ＤＶＦに、各テレビジョンカメラの機器コードＳＤＡ〜ＳＤＦを設定するようになされている。
【００２２】
これに対してスイッチボックス５は、これらディジタルビデオ信号ＤＶＡ〜ＤＶＦをセレクタ１５を介してスイッチボックス本体１６に入力する。コード検出回路１７は、各ディジタルビデオ信号ＤＶＡ〜ＤＶＦより機器コードＳＤＡ〜ＳＤＦを検出し、この検出結果により制御信号ＳＷ１を出力してセレクタ１５の接点を切り換える。
【００２３】
この接点の切り換えは、ディジタルビデオ信号ＤＶＡ〜ＤＶＦの機器コードＳＤＡ〜ＳＤＦと波形モニタ６Ａ〜６Ｆに割り当てられた機器番号とが対応するように、セレクタ１５の接点を切り換えて実行されるようになされている。これによりこのスタジオシステム１においては、カメラコントロールユニット３Ａ〜３Ｆに一連の機器番号を設定した後、カメラコントロールユニット３Ａ〜３Ｆを調整室４に接続するだけで、調整室４で機器番号を把握できるように形成され、煩雑な接続確認作業を省略できるようになされている。
【００２４】
これに対してカメラコマンドネットワークユニット１１は、リモートコントロールパネル１０Ａ〜１０Ｆの操作に応動してカメラコントロールユニット３Ａ〜３Ｆとの間でコントロールデータＤＣＡ〜ＤＣＦを送受するカメラコマンドネットワークユニット本体１９を有し、このカメラコマンドネットワークユニット本体１９及びカメラコントロールユニット３Ａ〜３Ｆ間にセレクタ２０が配置されるようになされている。
【００２５】
このセレクタ２０は、コード検出回路１７より出力される制御信号ＳＷ２に応動して接点を切り換え、この実施例では各リモートコントロールパネル１０Ａ〜１０Ｆの操作に対応して送出されるのコントロールデータＤＣＡ〜ＤＣＦが、リモートコントロールパネル１０Ａ〜１０Ｆに割り当てられた機器番号と一致する機器番号のカメラコントロールユニット３Ａ〜３Ｆに入力されるように、ディジタルビデオ信号ＤＶＡ〜ＤＶＦの機器コードＳＤＡ〜ＳＤＦを基準にして切り換えられるようになされている。
【００２６】
これによりこの実施例においては、このコントロールデータＤＣＡ〜ＤＣＦについてもカメラコントロールユニット３Ａ〜３Ｆを調整室４に接続するだけで、調整室４で機器番号を把握して調整できるように形成され、煩雑な接続確認作業を省略できるようになされている。
【００２７】
以上の構成において、各カメラヘッドユニット２Ａ〜２Ｆで生成されたディジタルビデオ信号ＤＶＡ〜ＤＶＦは、各カメラコントロールユニット３Ａ〜３Ｆの選択回路１４Ａ〜１４Ｆにおいて、ブランキング期間に、各テレビジョンカメラの機器番号を表す機器コードＳＤＡ〜ＳＤＦが介挿された後、調整室４のスイッチボックス５に入力される。
【００２８】
このスイッチボックス５において、各ディジタルビデオ信号ＤＶＡ〜ＤＶＦは、コード検出回路１７において、機器コードＳＤＡ〜ＳＤＦが検出され、この機器コードＳＤＡ〜ＳＤＦによりカメラコントロールユニット３Ａ〜３Ｆの機器番号が検出される。これによりこの機器コード検出結果に基づいて、セレクタ１５の接点が切り換えられ、ディジタルビデオ信号ＤＶＡ〜ＤＶＦは、対応する機器番号の波形モニタ６Ａ〜６Ｆ、映像モニタ７Ａ〜７Ｆに出力される。
【００２９】
これに対してカメラコマンドネットワークユニット１１のカメラコマンドネットワークユニット本体１９により生成されるコントロールデータＤＣＡ〜ＤＣＦは、セレクタ２０を介して各カメラコントロールユニット３Ａ〜３Ｆに出力される。このときこのコントロールデータＤＣＡ〜ＤＣＦは、コード検出回路１７において検出された機器コードＳＤＡ〜ＳＤＦを基準にしてセレクタ２０の接点が切り換えられ、対応する機器番号のカメラコントロールユニット３Ａ〜３Ｆに出力される。
【００３０】
これによりコントロールデータＤＣＡ〜ＤＣＦについても、煩雑な確認作業を省略し得、リモートコントロールパネル１０Ａ〜１０Ｆを操作して、対応する機器番号のテレビジョンカメラを遠隔制御することができる。
【００３１】
以上の構成によれば、ディジタルビデオ信号ＤＶＡ〜ＤＶＦのブランキング期間に、カメラコントロールユニット３Ａ〜３Ｆの機器番号を表す機器コードＳＤＡ〜ＳＤＦを介挿し、この機器コードＳＤＡ〜ＳＤＦに応じてスイッチボックス５側で入力を切り換えることにより、カメラコントロールユニット３Ａ〜３Ｆに一連の機器番号を設定した後、カメラコントロールユニット３Ａ〜３Ｆを調整室４に接続するだけで、調整室４で機器番号を把握でき、煩雑な接続確認作業を省略できる。
【００３２】
またコントロールデータＤＣＡ〜ＤＣＦについても、この機器コード検出結果に基づいて接続を切り換えることにより、煩雑な確認作業を省略し得、リモートコントロールパネル１０Ａ〜１０Ｆを操作して、対応する機器番号のテレビジョンカメラを遠隔制御することができる。
【００３３】
なお上述の実施例においては、ディジタルビデオ信号とコントロールデータとを送受する場合について述べたが、本発明はこれに限らず、ディジタルビデオ信号だけを送受する場合にも広く適用することができる。
【００３４】
また上述の実施例においては、スイッチボックス及びカメラコマンドネットワークユニットのカメラコントロールユニット側でディジタルビデオ信号及びコントロールデータを切り換える場合について述べたが、本発明はこれに限らず、モニタ側及びリモートコントロールパネル側で接続を切り換えてもよい。
【００３５】
さらに上述の実施例においては、機器コードを検出して接続を切り換える場合、について述べたが、本発明はこれに限らず、併せて接続状況を表示してもよい。
【００３６】
また上述の実施例においては、スイッチボックスを介してテレビジョンカメラとモニタとを接続する場合について述べたが、本発明はこれに限らず、種々の映像機器にテレビジョンカメラを接続する場合、さらには複数のビデオテープレコーダを接続した編集システム等に広く適用することができる。
【００３７】
【発明の効果】
上述のように本発明によれば、映像信号のブランキング期間に、機器番号を表す識別データを介挿して映像信号を送出し、またこの識別データを検出して映像信号の入力又は出力を切り換えることにより、接続された映像機器間の煩雑な確認作業を簡略化することができる。
【図面の簡単な説明】
【図１】本発明の一実施例によるスタジオシステムを示すブロック図である。
【図２】図１の全体構成を示すブロック図である。
【符号の説明】
１                  スタジオシステム
３Ａ〜３Ｆ          カメラコントロールユニット
５                  スイッチボックス
６Ａ〜６Ｆ、８      モニタ
１０Ａ〜１０Ｆ      リモートコントロールパネル
１１                カメラコマンドネットワークユニット
１３Ａ〜１３Ｆ      コード発生回路
１４Ａ〜１４Ｆ      選択回路
１５、２０          セレクタ
１７                コード検出回路
【図１】
0003707098.tif 000002
【図２】
0003707098.tif 000003